(57)【特許請求の範囲】
【請求項１】
面積の異なる２枚の葉片を重ね合わせると共に、それにより生じる対向面の各々にそれらへの個人情報及び／又は一般情報の記載後に形成された疑似接着フィルムシートからなる疑似接着媒体を介して剥離可能に疑似接着し、前記面積の違いにより開封縁辺に生じる段差における面積の広い側の葉片及び面積の狭い側の葉片の各縁辺に形成される摘み部を剥離の端緒とした情報通信体の開封手段であって、前記段差を形成するに際して、面積の広い側の葉片に、面積の狭い側の葉片との対向面においてほぼ全面的に前記疑似接着媒体が形成されると共に、前記段差を形成するに際して、面積の狭い側の葉片に、面積の広い側の葉片との対向面及び該対向面と逆側の面の摘み部において前記疑似接着媒体が前記対向面から前記逆側の面へと折り返すように形成されたことを特徴とした水濡れに強い情報通信体の開封手段。
【請求項２】
前記段差を形成するに際して、面積の広い側の葉片にも、面積の狭い側の葉片との対向面と逆側の面の摘み部において前記疑似接着媒体が形成された請求項１に記載の水濡れに強い情報通信体の開封手段。
【請求項３】
任意の面積からなる３枚以上の葉片を重ね合わせると共に、それにより生じる対向面の各々にそれらへの個人情報及び／又は一般情報の記載後に形成された疑似接着フィルムシートからなる疑似接着媒体を介して剥離可能に疑似接着し、前記面積の違いにより開封縁辺に生じる段差における面積の広い側の葉片及び面積の狭い側の葉片の各縁辺に形成される摘み部を剥離の端緒とした情報通信体の開封手段であって、前記段差を形成するに際して、面積の広い側の葉片に、面積の狭い側の葉片との対向面においてほぼ全面的に前記疑似接着媒体が形成されると共に、前記段差を形成するに際して、面積の狭い側の葉片又は面積の狭い側を構成する複数の葉片に、面積の広い側の葉片との対向面及び該対向面と逆側の最外側の面の摘み部において前記疑似接着媒体が前記対向面から前記逆側の最外側の面へと折り返すように形成されたことを特徴とした水濡れに強い情報通信体の開封手段。
【請求項４】
前記段差を形成するに際して、面積の広い側の葉片又は面積の広い側を構成する複数の葉片にも、面積の狭い側の葉片との対向面と逆側の最外側の面の摘み部において前記疑似接着媒体が形成された請求項３に記載の水濡れに強い情報通信体の開封手段。
【発明の詳細な説明】
【技術分野】
【０００１】
本発明は複数の葉片が剥離可能に折り畳まれ或いは切り重ねられた情報通信体の製造方法に関する。
詳しくは本発明は、最近盛んに使用されている、見掛けは通常の葉書であるにもかかわらず、複数の葉片が剥離可能に積層されているため、多くの情報を隠蔽状態で伝達することができる葉書に代表される情報通信体の製造方法に関する。
【背景技術】
【０００２】
従来、前記複数の葉片が剥離可能に積層された葉書として、例えば特開２００４−９８６４４号公報に記載の葉書がある。前記特許文献では各葉片を剥離可能に接着（以下疑似接着という）する手段として、予め剥離可能に積層した疑似接着フィルムを使用するもの、印刷を施した後に疑似接着性の皮膜を形成するもの及び印刷を施す前に疑似接着性の樹脂を塗布しておくもの等の手段を開示している。
【先行技術文献】
【特許文献】
【０００３】
【特許文献１】特開２００４−９８６４４号
【発明の概要】
【発明が解決しようとする課題】
【０００４】
前記各種疑似接着皮膜を使用した情報通信体は、良好に接着している疑似接着皮膜同士の間から剥離するための端緒が形成されていれば、容易に開封して平面に展開することができる。前記剥離の端緒として、例えば図１０（Ａ）に示すように、折り畳んだ際に開封縁辺側に沿って段差を形成する手段が現在一番使用されている。
【０００５】
然るに、例えば個人の郵便受けの中で雨水等により濡れてしまい、各葉片を構成する紙繊維が容易に解れて破断してしまうような状態の場合、図１０（Ｂ）に示すように、指先で摘んで疑似接着皮膜同士の間から開封しようとすると、段差を形成する上側葉片の開封縁辺における紙材の紙繊維が解れたり分断したりするので、結局剥離の端緒となる段差が生かされずに良好に接着している疑似接着皮膜同士が残されて剥離することができなくなる。
【０００６】
また、疑似接着皮膜の接着性が良好すぎる場合、仮に水濡れを起こしていなくても、剥離に際して葉片を構成する紙繊維が剥離力に負けて解れたり或いは分断したりしてしまうことが多い。
本発明は、水を吸って濡れた状態や、疑似接着が良好で強すぎる場合でも、疑似接着皮膜同士の間から容易に、しかも確実に剥離を開始することが可能で、受取人が必ず内部に記載されている内容を確認することができる情報通信体の開封手段を提供することを目的としている。
【課題を解決するための手段】
【０００７】
上記目的を達成するために、本発明の水濡れに強い情報通信体の開封手段は、折線或いは切り取り線を介して横方向に連接された２枚の葉片が折り畳み或いは切り重ねられると共に、前記折り畳み或いは切り重ねにより生じる任意の対向面間を疑似接着媒体を介して剥離可能に一体化した情報通信体の開封手段であり、面積の異なる２枚の葉片を重ね合わせると共に、それにより生じる対向面の各々にそれらへの個人情報及び／又は一般情報の記載後に形成された疑似接着フィルムシートからなる疑似接着媒体を介して剥離可能に疑似接着し、前記面積の違いにより開封縁辺に生じる段差における面積の広い側の葉片及び面積の狭い側の葉片の各縁辺に形成される摘み部を剥離の端緒とした情報通信体の開封手段であって、前記段差を形成するに際して、面積の広い側の葉片に、面積の狭い側の葉片との対向面においてほぼ全面的に前記疑似接着媒体が形成されると共に、前記段差を形成するに際して、面積の狭い側の葉片に、面積の広い側の葉片との対向面及び該対向面と逆側の面の摘み部において前記疑似接着媒体が前記対向面から前記逆側の面へと折り返すように形成されたことを特徴としている。
【０００８】
なお、前記段差を形成するに際して、面積の広い側の葉片にも、面積の狭い側の葉片との対向面と逆側の面の摘み部において前記疑似接着媒体が形成されていても構わない。
【０００９】
また、上記目的を達成するために、本発明の前記と異なる態様の水濡れに強い情報通信体の開封手段は、任意の面積からなる３枚以上の葉片を重ね合わせると共に、それにより生じる対向面の各々にそれらへの個人情報及び／又は一般情報の記載後に形成された疑似接着フィルムシートからなる疑似接着媒体を介して剥離可能に疑似接着し、前記面積の違いにより開封縁辺に生じる段差における面積の広い側の葉片及び面積の狭い側の葉片の各縁辺に形成される摘み部を剥離の端緒とした情報通信体の開封手段であって、前記段差を形成するに際して、面積の広い側の葉片に、面積の狭い側の葉片との対向面においてほぼ全面的に前記疑似接着媒体が形成されると共に、前記段差を形成するに際して、面積の狭い側の葉片又は面積の狭い側を構成する複数の葉片に、面積の広い側の葉片との対向面及び該対向面と逆側の最外側の面の摘み部において前記疑似接着媒体が前記対向面から前記逆側の最外側の面へと折り返すように形成されたことを特徴としている。
【００１０】
なお、前記段差を形成するに際して、面積の広い側の葉片にも、面積の狭い側の葉片との対向面と逆側の面の摘み部において前記疑似接着媒体が形成されていても構わない。
【００１１】
また、前記段差を形成するに際して、面積の狭い側の葉片又は面積の広い側の葉片が複数の葉片の重ね合わせにより構成されている場合は、面積の狭い側の複数の葉片における面積の広い側の葉片との対向面又は面積の広い側の複数の葉片における面積の狭い側の葉片との対向面と逆側の最外側の面の摘み部において前記疑似接着媒体が形成されていても構わない。
【００１２】
上記対向する葉片を剥離可能に一体化するための疑似接着媒体として、例えば基材の片面に疑似接着層を形成した疑似接着フィルムシートがある。後述する実施例での疑似接着皮膜は前記疑似接着フィルムシートを例に説明する。
【００１３】
前記疑似接着フィルムシートは、例えば、ポリエチレンテレフタレート、二軸延伸ポリプロピレン、ポリエチレン、アセテート、ポリカーボネート、ナイロン、ポリエステル等の比較的腰の強い基材の一方の面に疑似接着層を形成したドライラミネート方式に対応したプリントラミネート用の疑似接着フィルムシートや、前記基材の残るもう一方の面に公知の感熱性接着剤層を形成した、サーマルラミネート方式に対応したプリントラミネート用の疑似接着フィルムシートを好適に使用することができる。
前記疑似接着フィルムシートとしては、例えばケイディケイ株式会社製の商品名「ハガキフィルムドライ」や商品目「ハガキフィルムサーマル」が販売されている。
【００１４】
前記疑似接着フィルムシートは、例えば情報通信体を構成する印刷物の疑似接着予定面に被覆ラミネートして、その後疑似接着予定面同士を折り合わせ疑似接着層同士を対向させて加圧或いは加熱・加圧処理を施すと剥離可能に接着するものである。そして疑似接着後に前記対向面同士を引き剥がすと、疑似接着層同士の界面から剥離するか、或いは基材といずれかの疑似接着層との間から剥離するか、さらに前記両者の剥離が複合的に起こり、対向面同士を容易に剥離することができるのである。
【００１５】
本発明の情報通信体を構成する各葉片に使用される紙材は、上質紙、マットコート紙、グロスコート紙、合成紙その他の公知の用紙等を好適に使用することができる。好ましくはマットコート紙やグロスコート紙のように表面処理が施されている塗工紙系（特にマットコート紙）が、用紙表面に塗工される成分が紙繊維同士のバインダー役を果たすため、水濡れに対しても解れたり或いは分断したりし難くなり、そのため本発明の作用をより効果的に発揮することができる。
【００１６】
本発明の開封縁辺に形成される段差の形状等に格別な制限はない。例えば開封縁辺に沿って一定の間隔で形成されてもよく、或いは開封縁辺の上下何れかの箇所コーナー部分で一方の葉片切り欠きを設けることにより形成しても構わない。
【００１７】
また本発明で、面積の狭い側の葉片或いは面積の広い側の葉片において、面積の狭い側の葉片における面積の広い側の葉片との対向面又は面積の広い側の葉片における面積の狭い側の葉片との対向面と逆側の面に形成される前記疑似接着媒体の形成面積にも格別な制限はなく、前記逆側の面の開封縁辺から僅かに入り込んだ位置で形成を止めておいても、或いは逆側の面全面に形成しても構わない。
【００１８】
なお、疑似接着媒体に関しては、前記折り合わせて対向させた疑似接着層から剥離する疑似接着フィルムシートの他に、例えば記述の基材の一方の面に熱可塑性或いは熱硬化性の樹脂を溶融押出しや塗工により剥離可能に積層した２層の積層フィルムシートの少なくとも一方の外側に、公知の感熱接着剤層を形成した３層以上の構成からなる疑似接着フィルムシートを使用しても構わない。この疑似接着フィルムシートの場合、前記基材と樹脂との間で剥離が行われる。
【発明の効果】
【００１９】
本発明の水濡れに強い情報通信体の開封手段によれば、対向する葉片間の面積の違いにより開封縁辺に生じる段差における面積の広い側の葉片及び面積の狭い側の葉片の各縁辺に摘み部が形成され、開封の際に指で摘む対向葉片の両摘み部が強靭な疑似接着フィルムシートからなる疑似接着媒体で被覆されているため、通常では簡単に破断して開封不能となる水濡れや疑似接着が良好すぎて強い剥離力を必要とする状態でも、容易に剥離を開始することができ、一旦開封が開始されれば前記疑似接着媒体により保護されている葉片は破断することなく、確実に最後まで剥離展開することができ、受取人は確実に内部の情報を確認することができる。
【図面の簡単な説明】
【００２０】
【図１】（Ａ）、（Ｂ）及び（Ｃ）は二つ折り葉書用紙Ｓ１の表面図、裏面図及びＩ−Ｉ線断面図である。
【図２】（Ａ）、（Ｂ）及び（Ｃ）は二つ折り葉書Ｊ１の表面図、裏面図及びＩＩ−ＩＩ線断面時である。
【図３】二つ折り葉書Ｊ１の開封状態を示す斜視図である。
【図４】（Ａ）、（Ｂ）及び（Ｃ）は三つ折り葉書用紙Ｓ２の表面図、裏面図及びＩＩＩ−ＩＩＩ線断面図である。
【図５】（Ａ）、（Ｂ）及び（Ｃ）は三つ折り葉書Ｊ２の表面図、裏面図及びＩＶ−ＩＶ線断面時である。
【図６】（Ａ）及び（Ｂ）は実施例２の三つ折り葉書において異なる態様の三つ折り葉書を示す断面図である。
【図７】実施例２の三つ折り葉書において異なる態様の三つ折り葉書を示す断面図である。
【図８】（Ａ）及び（Ｂ）は実施例２の三つ折り葉書において異なる態様の三つ折り葉書を示す断面図と、（Ａ）における一点鎖線に囲まれる部分を拡大し変形部分をわかりやすくした断面図である。
【図９】三つ折り葉書の異なる形態の断面図である。
【図１０】（Ａ）及び（Ｂ）は従来の欠点を分かりやすく説明する断面図である。
【発明を実施するための形態】
【００２１】
以下、本発明の実施の形態を図面に基づいて具体的に説明する。
［実施例１：二つ折り葉書］
図１に示すように、本発明に係る二つ折り葉書用紙Ｓ１は、第一葉片１と第二葉片２が折り線３を介して連接されている。第一葉片１表面には例えば郵便切手欄、郵便番号欄、受取人の住所氏名等が記載されており、第二葉片２表面には広告宣伝等の一般情報４が記載されている。
【００２２】
また、第一葉片１及び第二葉片２裏面は、例えば秘密を要する個人情報５（必ずしも秘密を要する必要はなく、一般情報と混在しても或いは一般情報のみでも構わない）が記載されており、前記情報の上から疑似接着フィルムシートＧが被覆されている。なお、第一葉片１の幅が第二葉片２よりも広いため両者を折り線３から折り畳むと開封縁辺において段差が生じるように設計されている。また、図１（Ｃ）に示すように、第二葉片２の縁辺は裏面に被覆されている疑似接着フィルムシートＧが折り返されて被覆されている。
【００２３】
既述のように構成された二つ折り葉書用紙Ｓ１は、各葉片を折り線３から二つ折りに折り畳まれ、例えばヒートローラやヒータパネルと加圧ローラの組み合わせからなる圧着システム等により、加圧又は加熱・加圧処理を施され、対向する疑似接着フィルムシートＧ同士が剥離可能に疑似接着される。
【００２４】
この葉書の受取人は、図２及び図３に示すように、開封縁辺に生じる段差における第一葉片１及び第二葉片２の各縁辺からなる摘み部Ｘ、Ｙを指で摘んでお互いを引き剥がすのであるが、仮に両葉片１、２を形成する紙材が水に濡れて、僅かな引っ張り力で紙繊維が解れてばらばらになってしまうような状態でも、摘み部Ｘ及びＹが疑似接着フィルムシートＧにより被覆されて保護されているため、確実に両疑似接着フィルムシートＧを摘んで剥離することができる。特に葉片２の摘み部Ｘにおいては、従来の場合では図１０（Ｂ）に示すように、水濡れした葉片を指で摘んで剥離しようとすると疑似接着フィルムシートＧの接着力に負けて紙材が解れたり分断したりしてしまい、結局疑似接着フィルムＧ同士を剥離することはできない。
【００２５】
前記実施例において第二葉片２の開封縁辺で折り返された疑似接着フィルムシートＧは第二葉片２全面或いは第一葉片１の表面に及ぶまで被覆されていても構わない。また折り線３は紙材と疑似接着フィルムシートＧの両者を貫通していても或いは何れか一方を貫通する形でも構わない。
【００２６】
［実施例２：三つ折り葉書］
図４（Ａ）に示すように、本実施例の三つ折り葉書用紙Ｓ２は、第一葉片１１、第二葉片１２及び第三葉片１３が折り線１４、１５を介して横方向に連接されている。そして第一葉片１１表面には郵便切手欄、郵便番号欄及び受取人の住所氏名等が記載されている。なお、郵便番号欄の上部には第一葉片１１を貫通する丸窓Ｈが４個設けられているが、これは折り畳まれた際に対向する第二葉片１２裏面に表示された「郵便葉書」の文言を前記丸窓Ｈを通して読み取れるようにしたものである。また第一葉片１１表面には折り線１４に沿って帯状に疑似接着フィルムシートＧが被覆されており、さらに完成後に内部に隠蔽される第二葉片１２及び第三葉片１３の表面には、例えば秘密を要する個人情報１６（必ずしも秘密を要する必要はなく、一般情報と混在しても或いは一般情報のみでも構わない）が記載されると共に前記情報の上から疑似接着フィルムシートＧが被覆されている。
【００２７】
図４（Ｂ）に示すように、第三葉片１３裏面には一般情報１７が記載されると共に折り線１５に沿って帯状に疑似接着フィルムシートＧが被覆されている。また完成後に内部に隠蔽される第二葉片１２及び第一葉片１１裏面には、個人情報１６（必ずしも秘密を要する必要はなく、一般情報と混在しても或いは一般情報のみでも構わない）が記載されており、前記情報の上から疑似接着フィルムシートＧが被覆されている。なお第二葉片１２裏面の個人情報１６上部には「郵便葉書」の文言が記載されているが、その位置は第一葉片上部に設けられている丸窓Ｈと対応しており、重ねあわされた際に外部から視認できる。
【００２８】
既述のように構成された三つ折り葉書用紙Ｓ２は、各葉片を折り線１４、１５から断面Ｚ字状に折り畳み、例えばヒートローラやヒータパネルと加圧ローラの組み合わせから圧着システム等により、加圧又は加熱・加圧処理を施され、対向する疑似接着フィルムシートＧ同士が剥離可能に疑似接着される。
【００２９】
この葉書の受取人は、図５に示すように、各開封縁辺に生じる段差に形成される各摘み部Ｌ、Ｍ及びＶ、Ｗを指で摘んで順次剥離するのであるが、仮に各葉片を構成する紙材が水に濡れて、僅かな引っ張り力で紙繊維が解れてばらばらになってしまうような状態でも、前記摘み部Ｌ、Ｍ及びＶ、Ｗが疑似接着フィルムシートＧにより被覆されて保護されているため、確実に摘み部の両疑似接着フィルムシートＧを摘んで剥離することができる。
【００３０】
前記実施例において第一葉片１１表面に被覆されている疑似接着フィルムシートＧは、第一葉片１１の図示より広い面積或いは全面に及ぶまで被覆されていても構わない。前記被覆面積に関しては第三葉片１３裏面についても同様である。また各折り線１４、１５は紙材と疑似接着フィルムシートＧの両者を貫通していても或いは何れか一方を貫通する形でも構わない。
【００３１】
［実施例３：変形三つ折り葉書その１］
実施例２では第一葉片１１及び第三葉片１３を第二葉片１２より幅広に設定しておいて、折り畳むと両葉片の開封縁片が第二葉片１２から飛び出す形態になっているが、図６（Ａ）に示すように、折り畳みの中間に位置する葉片を他の葉片より幅広に設定しておいて、折り畳むと前記と逆形態の段差を生じるようにしても構わない。この場合も、各開封縁辺に生じる段差に形成される各摘み部Ｖ、Ｗ、Ｍ、Ｌが疑似接着フィルムシートＧにより被覆されて保護されているため同一の効果を得ることができる。なお、このような構成の場合、摘み部Ｖ（或いは摘み部Ｌ）の部分に折り畳みの中間に位置する葉片の縁辺が露出する。従って、この中間葉片の露出部分に「郵便葉書」等の文言を記載しておけば中間葉片が葉書本体となり実施例２のような丸窓を設ける手段に代えることができる。
【００３２】
さらに図６（Ｂ）に示すように、実施例２と前記図６（Ａ）の両者の開封形態を混合して採用しても構わない。これら開封形態の選択は、デザイン効果等を考慮して随時決定すればよい。なお、この場合も既述の通り、摘み部Ｖの部分に折り畳みの中間に位置する葉片の縁辺が露出する。従って、この中間葉片の露出部分に「郵便葉書」等の文言を記載しておけば中間葉片が葉書本体となり実施例２のような丸窓を設ける手段を省くことができる。
【００３３】
［実施例４：変形三つ折り葉書その２］
実施例２及び３では二箇所の対向面間を剥離可能にしているが、図７に示すように一箇所を疑似接着フィルムシートＧにより剥離可能に、そして残りのもう一箇所を剥離不能に完全接着した構成でも構わない。この場合完全接着には感熱接着剤、感圧接着剤、感湿接着剤等の特定条件が付与されると接着性を発揮する公知の完全接着剤Ｋを、完全接着予定面の少なくとも一方の面に予め塗布しておいても構わず、或いは既述の完全接着剤層を基材の両面に形成した両面接着フィルムシート等を採用しても構わない。
【００３４】
また図８（Ａ）に示すように、疑似接着フィルムシートＧを前記実施例２と同様に貼り込んで、開封縁辺に段差を形成せず端面を揃えてしまうと（一点鎖線で囲まれた部分）、剥離の端緒がなくなり指で摘んで開封することができなくなる。このような構成で一箇所の対向面のみを剥離可能にしても構わない。その場合、図８（Ｂ）に示すように、確実に剥離できなくするために完全接着剤Ｋを設けて封緘しても構わない。
【００３５】
［実施例５：変形三つ折り葉書その３］
前記実施例２乃至４では、断面がＺ字状に折り畳まれた三つ折り葉書について記載しているが、図９に示すように、断面が渦巻き状の三つ折り葉書でも構わない。この場合開封縁辺が一箇所になるが、前記実施例と同様に最終的に剥離して平面に展開することができる。
【００３６】
なお、本発明は、上記実施例に限定されるものではない。
例えば、上記実施例では、二つ折り及び三つ折り葉書に関して説明しているが、四つ折り以上の形態（蛇腹折り、巻き折り、観音開き折り、それらのミックス折り等）の情報通信体に広く適用できることはいうまでもない。
【符号の説明】
【００３７】
Ｓ１  二つ折り葉書用紙
Ｓ２  三つ折り葉書用紙
Ｊ１  二つ折り葉書
Ｊ２  三つ折り葉書
Ｇ  疑似接着フィルムシート
Ｋ  完全接着剤
Ｈ  丸窓
Ｘ、Ｙ、Ｌ、Ｍ、Ｖ、Ｗ  摘み部
１、２、１１、１２、１３  葉片
３、１４、１５  折り線
４、１７  一般情報
５、１６  個人情報
【図１】
0005846762.tif 000002
【図２】
0005846762.tif 000003
【図３】
0005846762.tif 000004
【図４】
0005846762.tif 000005
【図５】
0005846762.tif 000006
【図６】
0005846762.tif 000007
【図７】
0005846762.tif 000008
【図８】
0005846762.tif 000009
【図９】
0005846762.tif 000010
【図１０】
0005846762.tif 000011